(57)【特許請求の範囲】
【請求項１】
ベッドの側柵へ上方から被せられる袋状本体を備えたベッド側柵カバーであって、
前記袋状本体は、前記側柵のベッド内側部を覆う袋状本体内側部と、前記側柵のベッド外側部を覆う袋状本体外側部と、を有し、
前記袋状本体外側部の口縁部分につながった外側垂下がり部が、設けられており、
前記外側垂下がり部は、前記袋状本体外側部の内面から、さらに前記袋状本体内側部の内面に沿わせて折畳まれており、
前記折畳まれた外側垂下がり部の下端部分は、丸められており、
一端が前記袋状本体内側部の前記ベッドに面している部分へ固定された係止ベルト部材が、設けられており、
前記係止ベルト部材の他端は、前記丸められた外側垂下がり部の前記下端部分と係止させられていることを特徴とするベッド側柵カバー。
【請求項２】
ベッドの側柵へ上方から被せられる袋状本体を備えたベッド側柵カバーの使用方法であって、
前記袋状本体は、前記側柵のベッド内側部を覆う袋状本体内側部と、前記側柵のベッド外側部を覆う袋状本体外側部と、を有し、
前記袋状本体外側部の口縁部分につながった外側垂下がり部が、設けられており、
前記外側垂下がり部を、前記袋状本体外側部の内面から、さらに前記袋状本体内側部の内面に沿わせて折畳み、
前記折畳まれた外側垂下がり部の下端部分を丸め、
一端が前記袋状本体内側部の前記ベッドに面している部分へ固定された係止ベルト部材の他端を前記丸められた外側垂下がり部の前記下端部分と係止させ、前記外側垂下がり部の下端部分を利用することにより、前記ベッドの敷布団のわきの隙間を塞ぐことを特徴とするベッド側柵カバーの使用方法。
【発明の詳細な説明】
【技術分野】
【０００１】
本発明は、ベッドの側柵へ上方から被せられるベッド側柵カバー、およびベッド側柵カバーの使用方法に関する。
【背景技術】
【０００２】
外周部を形成する枠状部材と、枠状部材の内周部の水平方向に沿って設けられた横部材とにより上部に矩形空間部が形成され、横部材から下方に設けられた縦部材、横部材及び枠状部材により隙間が形成されるベッド側柵と、軟質性部材によって形成されたカバー本体と、カバー本体をベッド側柵に装着したときに、カバー本体を固定するための固定部材とを有するベッド側柵カバーと、を有し、ベッド側柵は、ベッド本体の側部にベッド本体の長手方向に沿って設けられるベッド装置が、知られている（たとえば、特許文献１参照）。
【０００３】
このようなベッド装置において、カバー本体は、ベッド側柵の横部材より下方に挟み込むように装着することにより、隙間を閉塞し、かつ、矩形空間部が開口された状態にてベッド側柵カバーが装着される。
【先行技術文献】
【特許文献】
【０００４】
【特許文献１】特開２０１１−１０３９２７号公報
【発明の概要】
【発明が解決しようとする課題】
【０００５】
ところで、本発明者は、自身の介護業務経験などから、ベッドの側柵へ上方から被せられるベッド側柵カバーの利便性が向上されることが望ましいと考えている。
【０００６】
より具体的には、本発明者は、ベッド使用者の雑貨小物などがベッドの敷布団のわきの隙間へ落込みやすいことに気付いた。
【０００７】
しかしながら、上述された従来のベッド側柵カバーは、雑貨小物などの敷布団のわきの隙間への落込みを防止することができない。
【０００８】
本発明は、上述された従来の課題を考慮し、雑貨小物などの敷布団のわきの隙間への落込みを防止することを目的とする。
【課題を解決するための手段】
【０００９】
第１の本発明は、ベッドの側柵へ上方から被せられる袋状本体を備えたベッド側柵カバーであって、
前記袋状本体は、前記側柵のベッド内側部を覆う袋状本体内側部と、前記側柵のベッド外側部を覆う袋状本体外側部と、を有し、
前記袋状本体外側部の口縁部分につながった外側垂下がり部が、設けられており、
前記外側垂下がり部は、前記袋状本体外側部の内面から、さらに前記袋状本体内側部の内面に沿わせて折畳まれており、
前記折畳まれた外側垂下がり部の下端部分は、丸められており、
一端が前記袋状本体内側部の前記ベッドに面している部分へ固定された係止ベルト部材が、設けられており、
前記係止ベルト部材の他端は、前記丸められた外側垂下がり部の前記下端部分と係止させられていることを特徴とするベッド側柵カバーである。
第２の本発明は、ベッドの側柵へ上方から被せられる袋状本体を備えたベッド側柵カバーの使用方法であって、
前記袋状本体は、前記側柵のベッド内側部を覆う袋状本体内側部と、前記側柵のベッド外側部を覆う袋状本体外側部と、を有し、
前記袋状本体外側部の口縁部分につながった外側垂下がり部が、設けられており、
前記外側垂下がり部を、前記袋状本体外側部の内面から、さらに前記袋状本体内側部の内面に沿わせて折畳み、
前記折畳まれた外側垂下がり部の下端部分を丸め、
一端が前記袋状本体内側部の前記ベッドに面している部分へ固定された係止ベルト部材の他端を前記丸められた外側垂下がり部の前記下端部分と係止させ、前記外側垂下がり部の下端部分を利用することにより、前記ベッドの敷布団のわきの隙間を塞ぐことを特徴とするベッド側柵カバーの使用方法である。
本発明に関連する第１の発明は、ベッドの側柵へ上方から被せられる袋状本体を備えたベッド側柵カバーであって、
前記袋状本体は、前記側柵のベッド内側部を覆う袋状本体内側部と、前記側柵のベッド外側部を覆う袋状本体外側部と、を有し、
前記袋状本体内側部の口縁部分につながった内側垂下がり部が、設けられていることを特徴とするベッド側柵カバーなどである。
【００１０】
本発明に関連する第２の発明は、前記袋状本体外側部の口縁部分につながった外側垂下がり部が、設けられており、
垂下がり方向における前記外側垂下がり部の長さは、前記袋状本体外側部の内面に、さらに前記袋状本体内側部の内面に沿わせて、前記外側垂下がり部を折畳むことができる長さであることを特徴とする本発明に関連する第１の発明のベッド側柵カバーなどである。
【００１１】
本発明に関連する第３の本発明は、前記内側垂下がり部の下端部分は、丸められていることを特徴とする本発明に関連する第１または第２の発明のベッド側柵カバーなどである。
【００１２】
本発明に関連する第４の発明は、ベッドの側柵へ上方から被せられる袋状本体を備えたベッド側柵カバーであって、
前記袋状本体は、前記側柵のベッド内側部を覆う袋状本体内側部と、前記側柵のベッド外側部を覆う袋状本体外側部と、を有し、
前記袋状本体外側部の口縁部分につながった外側垂下がり部が、設けられていることを特徴とするベッド側柵カバーなどである。
【００１３】
本発明に関連する第５の発明は、ベッドの側柵へ上方から被せられる袋状本体を備えたベッド側柵カバーの使用方法であって、
前記袋状本体は、前記側柵のベッド内側部を覆う袋状本体内側部と、前記側柵のベッド外側部を覆う袋状本体外側部と、を有し、
前記袋状本体内側部の口縁部分につながった内側垂下がり部が、設けられており、
前記内側垂下がり部の下端部分を利用することにより、前記ベッドの敷布団のわきの隙間を塞ぐことを特徴とするベッド側柵カバーの使用方法などである。
【００１４】
本発明に関連する第６の発明は、前記袋状本体外側部の口縁部分につながった外側垂下がり部が、設けられており、
垂下がり方向における前記外側垂下がり部の長さは、前記袋状本体外側部の内面に、さらに前記袋状本体内側部の内面に沿わせて、前記外側垂下がり部を折畳むことができる長さであり、
前記袋状本体外側部の前記内面に、さらに前記袋状本体内側部の前記内面に沿わせて、前記外側垂下がり部を折畳むことを特徴とする本発明に関連する第５の発明のベッド側柵カバーの使用方法などである。
【００１５】
本発明に関連する第７の発明は、ベッドの側柵へ上方から被せられる袋状本体を備えたベッド側柵カバーの使用方法であって、
前記袋状本体は、前記側柵のベッド内側部を覆う袋状本体内側部と、前記側柵のベッド外側部を覆う袋状本体外側部と、を有し、
前記袋状本体外側部の口縁部分につながった外側垂下がり部が、設けられており、
前記外側垂下がり部の下端部分を利用することにより、前記ベッドの敷布団のわきの隙間を塞ぐことを特徴とするベッド側柵カバーの使用方法などである。
【００１６】
本発明に関連する第８の発明は、垂下がり方向における前記外側垂下がり部の長さは、前記袋状本体外側部の内面に、さらに前記袋状本体内側部の内面に沿わせて、前記外側垂下がり部を折畳むことができる長さであり、
前記袋状本体外側部の前記内面に、さらに前記袋状本体内側部の前記内面に沿わせて、前記外側垂下がり部を折畳むことを特徴とする本発明に関連する第７の発明のベッド側柵カバーの使用方法などである。
【発明の効果】
【００１７】
本発明により、雑貨小物などの敷布団のわきの隙間への落込みを防止することが可能なベッド側柵カバー、およびベッド側柵カバーの使用方法を提供することができる。
【図面の簡単な説明】
【００１８】
【図１】本発明に関連する発明における実施の形態１のベッド側柵カバーの背面図
【図２】（ａ）本発明に関連する発明における実施の形態１のベッド側柵カバーの正面図、（ｂ）本発明に関連する発明における実施の形態１のベッド側柵カバーの左側面図、（ｃ）本発明に関連する発明における実施の形態１のベッド側柵カバーの右側面図、（ｄ）本発明に関連する発明における実施の形態１のベッド側柵カバーの平面図、（ｅ）本発明に関連する発明における実施の形態１のベッド側柵カバーの底面図
【図３】本発明に関連する発明における実施の形態１のベッド側柵カバーの断面図
【図４】本発明に関連する発明における実施の形態２のベッド側柵カバーの背面図
【図５】（ａ）本発明に関連する発明における実施の形態２のベッド側柵カバーの正面図、（ｂ）本発明に関連する発明における実施の形態２のベッド側柵カバーの左側面図、（ｃ）本発明に関連する発明における実施の形態２のベッド側柵カバーの右側面図、（ｄ）本発明に関連する発明における実施の形態２のベッド側柵カバーの平面図、（ｅ）本発明に関連する発明における実施の形態２のベッド側柵カバーの底面図
【図６】本発明に関連する発明における実施の形態２のベッド側柵カバーの断面図
【図７】本発明に関連する発明における変形例の実施の形態１のベッド側柵カバーの断面図
【図８】（ａ）本発明に関連する発明における変形例の実施の形態１のベッド側柵カバーの内側垂下がり部の下端部分近傍の拡大断面図（その一）、（ｂ）本発明に関連する発明における変形例の実施の形態１のベッド側柵カバーの内側垂下がり部の下端部分近傍の拡大断面図（その二）
【図９】本発明に関連する発明における実施の形態３のベッド側柵カバーの断面図
【図１０】本発明における実施の形態のベッド側柵カバーの断面図
【発明を実施するための形態】
【００１９】
図面を参照しながら、本発明、および本発明に関連する発明における実施の形態について詳細に説明する。
【００２０】
以下同様であるが、いくつかの構成要素は図面において示されていないこともあるし透視的にまたは省略的に示されていることもある。
【００２１】
（実施の形態１）
はじめに、図１から３を参照しながら、本実施の形態のベッド側柵カバーについて具体的に説明する。
【００２２】
ここに、図１は本発明に関連する発明における実施の形態１のベッド側柵カバーの背面図であり、図２（ａ）は本発明に関連する発明における実施の形態１のベッド側柵カバーの正面図であり、図２（ｂ）は本発明に関連する発明における実施の形態１のベッド側柵カバーの左側面図であり、図２（ｃ）は本発明に関連する発明における実施の形態１のベッド側柵カバーの右側面図であり、図２（ｄ）は本発明に関連する発明における実施の形態１のベッド側柵カバーの平面図であり、図２（ｅ）は本発明に関連する発明における実施の形態１のベッド側柵カバーの底面図であり、図３は本発明に関連する発明における実施の形態１のベッド側柵カバーのＡ−Ａ断面図である。
【００２３】
本実施の形態のベッド側柵カバーについて説明しながら、本発明のベッド側柵カバーの使用方法についても説明する。
【００２４】
本実施の形態のベッド側柵カバーは、本発明に関連する発明におけるベッド側柵カバーの例である。
【００２５】
袋状本体１００は本発明に関連する発明における袋状本体の例であり、袋状本体内側部１０１は本発明に関連する発明における袋状本体内側部の例であり、袋状本体外側部１０２は本発明に関連する発明における袋状本体外側部の例である。
【００２６】
内側垂下がり部１１０は、本発明に関連する発明における内側垂下がり部の例である。
【００２７】
ベッドマットレス２０は、ベッドフレーム１０の上面へ載置されている。
【００２８】
外枠部材３１と、複数の縦桟部材３２と、を有する側柵３０は、ベッドフレーム１０の側面へ脱着自由に取付けられている。単数の側柵３０が取付けられていてもよいし、複数の側柵３０が取付けられていてもよい。
【００２９】
敷布団４０は、ベッドマットレス２０の上面へ載置されている。
【００３０】
ベッドの側柵３０へ上方から被せられる袋状本体１００は、側柵３０のベッド内側部を覆う袋状本体内側部１０１と、側柵３０のベッド外側部を覆う袋状本体外側部１０２と、を有する。
【００３１】
たとえば、袋状本体１００は、袋状本体内側部１０１および袋状本体外側部１０２を形成するためのミシンステッチなどである、左右両側の袋状本体縫合せ部１０３を利用することにより、１枚のキルティング布から構成されている。もちろん、ビニール布などが、キルティング布の代わりに利用されてもよい。
【００３２】
袋状本体１００は、十分な厚みが得られるように、たとえば、裏打ちされていてもよい。ベッド使用者が就寝時などに手足を縦桟部材３２の間のスペースに突込んで怪我をしにくいので、安全性が向上する。
【００３３】
本実施の形態のベッド側柵カバーは、リバーシブルタイプであり、表裏を入替えて使用可能である。
【００３４】
袋状本体内側部１０１の口縁部分につながった内側垂下がり部１１０が、設けられている。
【００３５】
内側垂下がり部１１０は、袋状本体内側部１０１と一体的に構成されているが、袋状本体内側部１０１と一体的に構成されていなくてもよい。たとえば、袋状本体内側部１０１とは異なる別部材として構成された内側垂下がり部１１０が、ミシンステッチなどのような縫合せ部を利用することにより、袋状本体内側部１０１へ脱着自由に取付けられていてもよい。
【００３６】
内側垂下がり部１１０の下端部分を利用することにより、ベッドの敷布団４０のわきの隙間Ｇが塞がれる。
【００３７】
したがって、垂下がり方向における内側垂下がり部１１０の長さＬ１１は、比較的に大きいことが望ましい。
【００３８】
たとえば、内側垂下がり部１１０の下端部分は、敷布団４０とベッドマットレス２０との間の箇所へしっかり挟込まれている。ベッド使用者の雑貨小物などがベッドの敷布団４０のわきの隙間Ｇへ落込まないので、利便性が向上する。
【００３９】
垂下がり方向における袋状本体内側部１０１および袋状本体外側部１０２の長さＬ１０は、高さ方向における側柵３０の長さと比較して、大きすぎないことが望ましい。これは、介護担当者が、縦桟部材３２の間のスペースから矢印Ｘで示された水平向きに手を差込むことにより、内側垂下がり部１１０の下端部分を敷布団４０とベッドマットレス２０との間の箇所へ容易に挟込むことができるからである。
【００４０】
たとえば、ベッドメーキングを行うとき、介護担当者は、矢印Ｙで示された鉛直向きに袋状本体１００を持上げることにより、矢印Ｘで示された向きと反対の水平向きに内側垂下がり部１１０を引出す。このような水平向きの内側垂下がり部１１０の引出しがスムーズに行われるように、袋状本体縫合せ部１０３の強度は十分に大きいことが望ましい。さらに、内側垂下がり部１１０の下端部分における滑りやすさを向上させるためのシート材貼付または塗料塗布などを利用することにより、引出し時の摩擦抵抗が減少させられてもよい。
【００４１】
（実施の形態２）
つぎに、図４から６を参照しながら、本実施の形態のベッド側柵カバーについて具体的に説明する。
【００４２】
ここに、図４は本発明に関連する発明における実施の形態２のベッド側柵カバーの背面図であり、図５（ａ）は本発明に関連する発明における実施の形態２のベッド側柵カバーの正面図であり、図５（ｂ）は本発明に関連する発明における実施の形態２のベッド側柵カバーの左側面図であり、図５（ｃ）は本発明に関連する発明における実施の形態２のベッド側柵カバーの右側面図であり、図５（ｄ）は本発明に関連する発明における実施の形態２のベッド側柵カバーの平面図であり、図５（ｅ）は本発明に関連する発明における実施の形態２のベッド側柵カバーの底面図であり、図６は本発明に関連する発明における実施の形態２のベッド側柵カバーのＡ−Ａ断面図である。
【００４３】
本実施の形態のベッド側柵カバーについて説明しながら、本発明のベッド側柵カバーの使用方法についても説明する。
【００４４】
本実施の形態のベッド側柵カバーは、本発明に関連する発明におけるベッド側柵カバーの例である。
【００４５】
袋状本体２００は本発明に関連する発明における袋状本体の例であり、袋状本体内側部２０１は本発明に関連する発明における袋状本体内側部の例であり、袋状本体外側部２０２は本発明に関連する発明における袋状本体外側部の例である。
【００４６】
内側垂下がり部２１０は、本発明に関連する発明における内側垂下がり部の例である。
【００４７】
外側垂下がり部２２０は、本発明に関連する発明における外側垂下がり部の例である。
【００４８】
ベッドの側柵３０へ上方から被せられる袋状本体２００は、側柵３０のベッド内側部を覆う袋状本体内側部２０１と、側柵３０のベッド外側部を覆う袋状本体外側部２０２と、を有する。
【００４９】
たとえば、袋状本体２００は、袋状本体内側部２０１および袋状本体外側部２０２を形成するためのミシンステッチなどである、左右両側の袋状本体縫合せ部２０３を利用することにより、１枚のキルティング布から構成されている。もちろん、ビニール布などが、キルティング布の代わりに利用されてもよい。
【００５０】
袋状本体２００は、十分な厚みが得られるように、たとえば、裏打ちされていてもよい。ベッド使用者が就寝時などに手足を縦桟部材３２の間のスペースに突込んで怪我をしにくいので、安全性が向上する。
【００５１】
本実施の形態のベッド側柵カバーは、リバーシブルタイプであり、表裏を入替えて使用可能である。
【００５２】
袋状本体内側部２０１の口縁部分につながった内側垂下がり部２１０が、設けられている。
【００５３】
内側垂下がり部２１０は、袋状本体内側部２０１と一体的に構成されているが、袋状本体内側部２０１と一体的に構成されていなくてもよい。たとえば、袋状本体内側部２０１とは異なる別部材として構成された内側垂下がり部２１０が、ミシンステッチなどのような縫合せ部を利用することにより、袋状本体内側部２０１へ脱着自由に取付けられていてもよい。
【００５４】
内側垂下がり部２１０の下端部分を利用することにより、ベッドの敷布団４０のわきの隙間Ｇが塞がれる。
【００５５】
したがって、垂下がり方向における内側垂下がり部２１０の長さＬ２１は、比較的に大きいことが望ましい。
【００５６】
たとえば、内側垂下がり部２１０の下端部分は、敷布団４０とベッドマットレス２０との間の箇所へしっかり挟込まれている。ベッド使用者の雑貨小物などがベッドの敷布団４０のわきの隙間Ｇへ落込まないので、利便性が向上する。
【００５７】
垂下がり方向における袋状本体内側部２０１および袋状本体外側部２０２の長さＬ２０は、高さ方向における側柵３０の長さと比較して、大きすぎないことが望ましい。これは、介護担当者が、縦桟部材３２の間のスペースから矢印Ｘで示された水平向きに手を差込むことにより、内側垂下がり部２１０の下端部分を敷布団４０とベッドマットレス２０との間の箇所へ容易に挟込むことができるからである。
【００５８】
たとえば、ベッドメーキングを行うとき、介護担当者は、矢印Ｙで示された鉛直向きに袋状本体２００を持上げることにより、矢印Ｘで示された向きと反対の水平向きに内側垂下がり部２１０を引出す。このような水平向きの内側垂下がり部２１０の引出しがスムーズに行われるように、袋状本体縫合せ部２０３の強度は十分に大きいことが望ましい。さらに、内側垂下がり部２１０の下端部分における滑りやすさを向上させるためのシート材貼付または塗料塗布などを利用することにより、引出し時の摩擦抵抗が減少させられてもよい。
【００５９】
袋状本体外側部２０２の口縁部分につながった外側垂下がり部２２０が、設けられている。
【００６０】
外側垂下がり部２２０は、袋状本体外側部２０２と一体的に構成されているが、袋状本体外側部２０２と一体的に構成されていなくてもよい。たとえば、袋状本体外側部２０２とは異なる別部材として構成された外側垂下がり部２２０が、ミシンステッチなどのような縫合せ部を利用することにより、袋状本体外側部２０２へ脱着自由に取付けられていてもよい。
【００６１】
垂下がり方向における外側垂下がり部２２０の長さＬ２２は、袋状本体外側部２０２の内面に、さらに袋状本体内側部２０１の内面に沿わせて、外側垂下がり部２２０を折畳むことができる長さである。
【００６２】
したがって、垂下がり方向における外側垂下がり部２２０の長さＬ２２は、垂下がり方向における袋状本体内側部２０１および袋状本体外側部２０２の長さＬ２０より大きい。すなわち、
【００６３】
（数１）
Ｌ２２＞Ｌ２０
である。
【００６４】
袋状本体外側部２０２の内面に、さらに袋状本体内側部２０１の内面に沿わせて、外側垂下がり部２２０が折畳まれる。
【００６５】
たとえば、外側垂下がり部２２０は、袋状本体外側部２０２の内面のみならず、袋状本体内側部２０１の内面をもすっかり覆うように折畳まれる。すなわち、
【００６６】
（数２）
Ｌ２２≧Ｌ２０＋Ｌ２０＝２×Ｌ２０
である。ベッド使用者が就寝時などに手足を縦桟部材３２の間のスペースに突込んで怪我をしにくいので、安全性が向上する。
【００６７】
外側垂下がり部２２０の下端部分は、ベッドの敷布団４０のわきの隙間Ｇを塞ぐために、敷布団４０とベッドマットレス２０との間の箇所へ挟込まれていてもよいし、丸められていてもよい。
【００６８】
なお、本発明に関連する発明における内側垂下がり部の下端部分は、丸められていてもよい。
【００６９】
たとえば、内側垂下がり部１１０の下端部分は、ベッドの敷布団４０のわきの隙間Ｇを塞ぐために、図３に示されているように敷布団４０とベッドマットレス２０との間の箇所へ挟込まれているのではなく、図７に示されているように丸められていてもよい。
【００７０】
ここに、図７は、本発明に関連する発明における変形例の実施の形態１のベッド側柵カバーのＡ−Ａ断面図である。
【００７１】
内側垂下がり部１１０の下端部分は、変形可能に丸められてあらかじめ縫合せられていてもよいし、容易に膨らませられながら丸められるように下側辺に挿入された骨部材を有してもよいし、十分な厚みが得られるように折畳まれながら丸められて面ファスナーなどで留められてもよい。
【００７２】
たとえば、丸められた内側垂下がり部１１０の下端部分は、図８（ａ）に示されているように上方のベルト基部１３１で内側垂下がり部１１０へ固定された単数のまたは複数の係止ベルト部材１３０によりしっかり留められてもよいし、図８（ｂ）に示されているように下方のベルト基部１３１で内側垂下がり部１１０へ固定された単数のまたは複数の係止ベルト部材１３０によりしっかり留められてもよい。
【００７３】
ここに、図８（ａ）および８（ｂ）は、本発明に関連する発明における変形例の実施の形態１のベッド側柵カバーの内側垂下がり部１１０の下端部分近傍の拡大Ａ−Ａ断面図（その一および二）である。
【００７４】
ベッド使用者が上体を起こすために敷布団４０が持上げられて斜めに傾けられても、内側垂下がり部１１０の下端部分は、敷布団４０とベッドマットレス２０との間の箇所へ挟込まれていないので、ほとんど全く影響されず、ベッドの敷布団４０のわきの隙間Ｇが塞がれている状態は維持される。
【００７５】
（実施の形態３）
つぎに、図９を参照しながら、本実施の形態のベッド側柵カバーについて具体的に説明する。
【００７６】
ここに、図９は、本発明に関連する発明における実施の形態３のベッド側柵カバーの断面図である。
【００７７】
本実施の形態のベッド側柵カバーについて説明しながら、本発明のベッド側柵カバーの使用方法についても説明する。
【００７８】
本実施の形態のベッド側柵カバーは、本発明におけるベッド側柵カバーの例である。
【００７９】
袋状本体３００は本発明における袋状本体の例であり、袋状本体内側部３０１は本発明における袋状本体内側部の例であり、袋状本体外側部３０２は本発明における袋状本体外側部の例である。
【００８０】
外側垂下がり部３２０は、本発明における外側垂下がり部の例である。
【００８１】
本実施の形態のベッド側柵カバーは、上述された実施の形態１および２のベッド側柵カバーと類似している。
【００８２】
ベッドの側柵３０へ上方から被せられる袋状本体３００は、側柵３０のベッド内側部を覆う袋状本体内側部３０１と、側柵３０のベッド外側部を覆う袋状本体外側部３０２と、を有する。
【００８３】
たとえば、袋状本体３００は、袋状本体内側部３０１および袋状本体外側部３０２を形成するためのミシンステッチなどである、左右両側の袋状本体縫合せ部を利用することにより、１枚のキルティング布から構成されている。もちろん、ビニール布などが、キルティング布の代わりに利用されてもよい。
【００８４】
袋状本体３００は、十分な厚みが得られるように、たとえば、裏打ちされていてもよい。ベッド使用者が就寝時などに手足を縦桟部材３２の間のスペースに突込んで怪我をしにくいので、安全性が向上する。
【００８５】
本実施の形態のベッド側柵カバーは、リバーシブルタイプであり、表裏を入替えて使用可能である。
【００８６】
袋状本体外側部３０２の口縁部分につながった外側垂下がり部３２０が、設けられている。
【００８７】
外側垂下がり部３２０は、袋状本体外側部３０２と一体的に構成されているが、袋状本体外側部３０２と一体的に構成されていなくてもよい。たとえば、袋状本体外側部３０２とは異なる別部材として構成された外側垂下がり部３２０が、ミシンステッチなどのような縫合せ部を利用することにより、袋状本体外側部３０２へ脱着自由に取付けられていてもよい。
【００８８】
垂下がり方向における外側垂下がり部３２０の長さは、袋状本体外側部３０２の内面に、さらに袋状本体内側部３０１の内面に沿わせて、外側垂下がり部３２０を折畳むことができる長さである。
【００８９】
したがって、垂下がり方向における外側垂下がり部３２０の長さは、垂下がり方向における袋状本体内側部３０１および袋状本体外側部３０２の長さより大きい。
【００９０】
袋状本体外側部３０２の内面に、さらに袋状本体内側部３０１の内面に沿わせて、外側垂下がり部３２０が折畳まれる。
【００９１】
たとえば、外側垂下がり部３２０は、袋状本体外側部３０２の内面のみならず、袋状本体内側部３０１の内面をもすっかり覆うように折畳まれる。ベッド使用者が就寝時などに手足を縦桟部材３２の間のスペースに突込んで怪我をしにくいので、安全性が向上する。
【００９２】
外側垂下がり部３２０の下端部分を利用することにより、ベッドの敷布団４０のわきの隙間Ｇが塞がれる。
【００９３】
したがって、垂下がり方向における外側垂下がり部３２０の長さは、比較的に大きいことが望ましい。
【００９４】
たとえば、外側垂下がり部３２０の下端部分は、敷布団４０とベッドマットレス２０との間の箇所へしっかり挟込まれている。ベッド使用者の雑貨小物などがベッドの敷布団４０のわきの隙間Ｇへ落込まないので、利便性が向上する。
【００９５】
垂下がり方向における袋状本体内側部３０１および袋状本体外側部３０２の長さは、高さ方向における側柵３０の長さと比較して、大きすぎないことが望ましい。これは、介護担当者が、縦桟部材３２の間のスペースから矢印Ｘで示された水平向きに手を差込むことにより、外側垂下がり部３２０の下端部分を敷布団４０とベッドマットレス２０との間の箇所へ容易に挟込むことができるからである。
【００９６】
たとえば、ベッドメーキングを行うとき、介護担当者は、矢印Ｙで示された鉛直向きに袋状本体３００を持上げることにより、矢印Ｘで示された向きと反対の水平向きに外側垂下がり部３２０を引出す。このような水平向きの外側垂下がり部３２０の引出しがスムーズに行われるように、袋状本体縫合せ部の強度は十分に大きいことが望ましい。さらに、外側垂下がり部３２０の下端部分における滑りやすさを向上させるためのシート材貼付または塗料塗布などを利用することにより、引出し時の摩擦抵抗が減少させられてもよい。
【００９７】
外側垂下がり部３２０の下端部分は、ベッドの敷布団４０のわきの隙間Ｇを塞ぐために、敷布団４０とベッドマットレス２０との間の箇所へ挟込まれていてもよいが、丸められていてもよい。
【００９８】
たとえば、外側垂下がり部３２０の下端部分は、ベッドの敷布団４０のわきの隙間Ｇを塞ぐために、図９に示されているように敷布団４０とベッドマットレス２０との間の箇所へ挟込まれているのではなく、図１０に示されているように丸められていてもよい。
【００９９】
ここに、図１０は、本発明における実施の形態のベッド側柵カバーの断面図である。
【０１００】
外側垂下がり部３２０の下端部分は、変形可能に丸められてあらかじめ縫合せられていてもよいし、容易に膨らませられながら丸められるように下側辺に挿入された骨部材を有してもよいし、十分な厚みが得られるように折畳まれながら丸められて面ファスナーなどで留められてもよい。
【０１０１】
たとえば、丸められた外側垂下がり部３２０の下端部分は、図１０に示されているようにベルト基部３３１で袋状本体内側部３０１へ固定された単数のまたは複数の係止ベルト部材３３０により袋状本体内側部３０１へしっかり留められてもよいし、ベルト基部３３１で外側垂下がり部３２０へ固定された単数のまたは複数の係止ベルト部材３３０により袋状本体内側部３０１へしっかり留められてもよい。
【０１０２】
ベッド使用者が上体を起こすために敷布団４０が持上げられて斜めに傾けられても、外側垂下がり部３２０の下端部分は、敷布団４０とベッドマットレス２０との間の箇所へ挟込まれていないので、ほとんど全く影響されず、ベッドの敷布団４０のわきの隙間Ｇが塞がれている状態は維持される。
【産業上の利用可能性】
【０１０３】
本発明におけるベッド側柵カバー、およびベッド側柵カバーの使用方法は、雑貨小物などの敷布団のわきの隙間への落込みを防止することができ、ベッドの側柵へ上方から被せられるベッド側柵カバーに利用する目的に有用である。
【符号の説明】
【０１０４】
１０  ベッドフレーム
２０  ベッドマットレス
３０  側柵
３１  外枠部材
３２  縦桟部材
４０  敷布団
１００  袋状本体
１０１  袋状本体内側部
１０２  袋状本体外側部
１０３  袋状本体縫合せ部
１１０  内側垂下がり部
１３０  係止ベルト部材
１３１  ベルト基部
２００  袋状本体
２０１  袋状本体内側部
２０２  袋状本体外側部
２０３  袋状本体縫合せ部
２１０  内側垂下がり部
２２０  外側垂下がり部
３００  袋状本体
３０１  袋状本体内側部
３０２  袋状本体外側部
３２０  外側垂下がり部
３３０  係止ベルト部材
３３１  ベルト基部
【要約】
【課題】  本発明者は、自身の介護業務経験などから、ベッドの側柵へ上方から被せられるベッド側柵カバーの利便性が向上されることが望ましいと考えている。より具体的には、本発明者は、ベッド使用者の雑貨小物などがベッドの敷布団のわきの隙間へ落込みやすいことに気付いた。しかしながら、従来のベッド側柵カバーは、雑貨小物などの敷布団のわきの隙間への落込みを防止することができない。
【解決手段】  ベッドの側柵へ上方から被せられる袋状本体１００を備えたベッド側柵カバーであって、袋状本体１００は、側柵のベッド内側部を覆う袋状本体内側部１０１と、側柵のベッド外側部を覆う袋状本体外側部１０２と、を有し、袋状本体内側部１０１の口縁部分につながった内側垂下がり部１１０が、設けられているベッド側柵カバーである。
【選択図】  図３【図１】
0006663530.tif 000002
【図２】
0006663530.tif 000003
【図３】
0006663530.tif 000004
【図４】
0006663530.tif 000005
【図５】
0006663530.tif 000006
【図６】
0006663530.tif 000007
【図７】
0006663530.tif 000008
【図８】
0006663530.tif 000009
【図９】
0006663530.tif 000010
【図１０】
0006663530.tif 000011